(57)【要約】      （修正有）【課題】視覚障害者用誘導システムを提供する。【解決手段】視覚障害者が用いる白杖１であって、グリップ部と内部にＧＰＳセンサー及びＯＳ基板を装備したＯＳ部と端部に白杖パイプを挿入固定する為の開口部を設け更に複数の発光体を装備した発光部を備えたグリップ部本体と、白杖パイプの接地部近傍に電磁誘導センサーを装備してなる視覚障害者用白杖と、非接触ＩＣチップを表層に装備した視覚障害者誘導ブロック３からなる。【選択図】図１
0003226700.tif 000002
【実用新案登録請求の範囲】
【請求項１】
視覚障害者が用いる白杖であって、グリップ部と内部にＧＰＳセンサー及びＯＳ基板を装備したＯＳ部と端部に白杖パイプを挿入固定する為の開口部を設け更に複数の発光体を装備した発光部を備えたグリップ部本体と、前記白杖パイプの接地部近傍に電磁誘導センサーを装備してなる視覚障害者用白杖と、非接触ＩＣチップを表層に装備した視覚障害者誘導ブロックからなる視覚障害者用誘導システム。
【請求項２】
グリップ部本体の発光部に視覚障害者の情報を周囲に伝達する複数個のＬＥＤランプを装着したことを特徴とする請求項１記載の視覚障害者用誘導システム。
【請求項３】
グリップ部本体のＯＳ部にハザードマップ、ネットラジオ、利用者の位置情報、気象情報などを管理するためのＣＰが内装されたことを特徴とする請求項１記載の視覚障害者用誘導システム。
【請求項４】
視覚障害者誘導ブロックに非接触ＩＣチップを耐水性及び耐衝撃性、耐熱性のある素材で被覆し表層に埋め込んだことを特徴とする請求項１記載の視覚障害者用誘導システム。
【考案の詳細な説明】
【技術分野】
【０００１】  本考案は位置情報音声案内機能装置付白杖と電磁誘導センサー設置視覚障害者誘導ブロックに関する
【背景技術】
【０００２】  視覚障害者の方の為に公共の道路や屋内・屋外に設置されている現行の点字ブロックや、歩行者用の信号機から発する視覚障害者用のメロディが知られている。
【考案の概要】
【考案が解決しようとする課題】
【０００３】  健常者では不便さを感じていないが視覚障碍者にとって多大な不便ごとがある。例えば積雪地方において路上の点字ブロックが積雪により確認不良、夜間の歩行者用信号機から発するメロディの停止に伴う交差点での不安、また点字ブロックの敷設されていない道路での自分自身の現在所在位置確認、身内などに対する自分自身の現在位置情報の提供、その場における気象情報、緊急時の連絡手段など、健常者では想像もできない不安が日常的にある。本考案はそれらを解決するためのものである。
【課題を解決するための手段】
【０００４】  視覚障害者が用いる白杖であって、グリップ部と内部にＧＰＳセンサー及びＯＳ基板を装備したＯＳ部と端部に白杖パイプを挿入固定する為の開口部を設け、更に複数の発光体を装備した発光部を備えたグリップ部本体と前記白杖パイプの接地部近傍に電磁誘導センサーを装備してなる視覚障害者用白杖と、非接触ＩＣチップを表層に装備した視覚障害者誘導ブロックからなる視覚障害者用誘導システムである。【０００５】  前記グリップ部本体の発光部には視覚障害者の情報を周囲に伝達するための複数のＬＥＤランプを装着し、該グリップ部本体のＯＳ部にはハザードマップ、ネットラジオ、利用者の位置情報、気象情報などを管理するためのＣＰが内装され、視覚障害者に対し外部から提供されたいろいろな情報を受け取ることができるようにしたものである。【０００６】  また、視覚障害者誘導ブロックには非接触ＩＣチップを耐水性及び耐衝撃性、耐熱性、耐候性のある素材で被覆し表層に埋め込み、常時視覚障害者が近傍に接近してきたときに情報の享受支援できるようにしたものである。
【考案の効果】
【０００７】  本考案の視覚障害者用誘導システムは、視覚障害者誘導ブロック表層に非接触ＩＣチップを装備し、白杖先端部の電磁誘導センサー受信部によりＩＣチップからの情報を入手し、グリップ部のＣＰを備えた部分のアプリケーションにより、ＩＣチップからの情報とＧＰＳからの位置情報からナビシステムでの目的地案内や位置情報、気象情報、公共機関の情報、危険地域の情報などを視覚障害者の所持する情報端末または、ワイヤレスイヤホンにＢｌｕｅｔｏｏｔｈ（登録商標）にて伝達される。【０００８】  このため積雪地の交差点など点字ブロックの上に積もった雪により不案内になっている路上であっても、点字ブロックに埋設されているＩＣチップから情報を受けることで不案内さを解消でき、また、その場における気象情報や、さらに自分自身の現在位置情報、緊急時の連絡手段、夜間、ＬＥＤ発行体による自分自身の所在表示など、いろいろな情報の送受、発信を可能としたものである。【０００９】  また、視覚障害者本人が危険を察知した際、又周囲に助けを求める際にはグリップ部に装備する点字付きボタンにて何色かのＬＥＤ発行色、ＬＥＤ発行体の文字にて知らせることを可能とするものである。
つまりこのシステムは視覚障害者が現実において不便と感じている事項をできる限り解決できるものを装備したものである。
【図面の簡単な説明】
【００１０】
【図１】本考案を実施したシステム全様の模擬図
【図２】本考案を実施した白状本体図
【図３】本考案を実施したＬＥＤランプ、文字発光時の図
【図４】本考案を実施したＬＥＤランプ、発光体の図
【図５】本考案を実施した視覚障害者用誘導ブロック
【図６】本考案を実地した視覚障害者用誘導ブロック詳細
【考案を実施するための形態】
【００１１】  グリップ部と内部にＧＰＳセンサー及びＯＳ基板を装備したＯＳ部と端部に白杖パイプを挿入固定する為の開口部を設け更に複数のＬＥＤ発光体を装備した発光部を備えたグリップ部本体と、前記白杖パイプの接地部近傍に電磁誘導センサーを装備してなる視覚障害者用白杖と、非接触ＩＣチップを表層に装備した視覚障害者誘導ブロックからなる視覚障害者用誘導システムであって、グリップ部本体の発光部には視覚障害者の情報を周囲に伝達するための複数個のＬＥＤ発光体を装備したものである。
【００１２】  グリップ部本体のＯＳ部にはハザードマップ、ネットラジオ、利用者の位置情報、気象情報などを管理するためのＣＰが内装され、視覚障害者に対し外部から提供されたいろいろな情報を受け取ることができるようにしたものである。
【００１３】  また、視覚障害者誘導ブロックに非接触ＩＣチップを耐水性及び耐衝撃性、耐熱性、耐候性のある素材で被覆し表層に埋め込み、常時視覚障害者が近傍に接近してきたときに情報の享受支援でき、さらに非接触ＩＣチップ電磁誘導センサーが未設置の場所でもＧＰＳより位置情報を取得できるようにしたものである。
【実施例】
【００１４】  図１は本考案のシステム全様の模擬図で、宇宙にあるＧＰＳ衛星２から白杖１のＯＳ部７に装備されている地上局を介して電波を受信し、視覚障害者誘導ブロック３表層に埋め込まれているＩＣチップ１９の位置情報を白杖先端センサー１０から受け取り、視覚障害者が所持しているスマートフォン（携帯電話）５に情報がリンクされ有線型イヤホン４、又はＢｌｕｅｔｏｏｔｈ（登録商標）ワイヤレスイヤホン４を通じて視覚障害者に伝達されるものである。【００１５】  図２は本考案の白杖１の模擬図で、情報管理部６はグリップ部１２とＯＳ部７と発光部８から成り立っている。情報管理部６の下方に白杖部９が接続され、白杖センサー部１０が装着されていて白杖部９と情報管理部６とは差込口コネクター１１によりセンサーからの色々な情報を享受している。【００１６】  図３は本考案の白杖１のＬＥＤ発行体文字表示１３の詳細模擬図であり、白杖１を使用した視覚障害者が危険を察知した時にＬＥＤ文字発行体１３を点灯させ周囲の人に助けを求めることができる。【００１７】  図４も同様に視覚障害者が危険を察知した時や、ＧＰＳ衛星２から情報管理部６に受信した危険地域に侵入した場合、地震などの緊急災害発生時などに複数個のＬＥＤ発行体１４が起動するものである。グリップ部１２は利用者の負担にならないよう軽く持ちやすい形状とし、素材はＦＲＰ（繊維強化プラスチック）や合成樹脂など軽量で強靭な素材で構成されている。【００１８】  情報管理部６のＯＳ部７はタブレット端末の機能を伴い、グリップ部１２近傍に備わっている各種スイッチは点字と音声で利用者が認識できる仕組みになっている。情報管理部６には利用者へのＩＣチップが埋め込まれた視覚障害者誘導ブロック３からの現在位置情報の取得とは別に、スマートフォン５に直接、ＧＰＳ衛星２からの現在位置情報も得ることができる。【００１９】  白杖１はフリーＷｉ−Ｆｉや情報端末５のインターネット接続を可能としているので、白杖１の位置情報は警察・消防機関に公示可能として視覚障害者を事故、事件から守る事ができ、家族や行政と連携も可能となる。
従って緊急地震速報の該当エリアのハザードマップとの連携により安全なエリアに誘導が可能となる。また情報管理部６には１１０番、１１９番などの通報がボタン設定で可能となる。【００２０】  交換可能な白杖１は視覚障害者が１０メートル進む毎に約２０タッチ地面を探る事を想定して、仮に１日２．５キロの歩行に対し５，０００回タッチ、月間１０万回、年間２４０万回として、交換可能な白杖先端センサー部１０は直径２センチ厚さ３ミリのパイプ状のＦＲＰ（繊維強化プラスチック）となり利用する視覚障害者が地面をタッチする耐久回数を５００万回、耐久年数を２年以上とした。また、白杖先端部１０は視覚障害者の身長に合わせ、長さ調整を可能とするため本体グリップ部との脱着ができるようにしたものである。【００２１】  白杖グリップ部１２よりＢｌｕｅｔｏｏｔｈ（登録商標）を通じ現在位置情報をはじめ様々な情報を、視覚障害者が身に着けているイヤホン４または所持するスマートフォン５へ伝達され知らせることができる。【００２２】  図５は本考案の視覚障害者誘導ブロックに非接触電磁誘導ＩＣチップを装着した模擬図であり、視覚障害者誘導ブロック１５と誘導ブロック危険指示１６と誘導ブロック進め指示１７が連結されてある。【００２３】  図６は視覚障害者誘導ブロックに非接触電磁誘導ＩＣチップ１９と、それと繋ぎセンサー反応をする銅線１８を装着した詳細、拡大の模擬図である。視覚障害者誘導ブロック１６，１７の表層に埋め込まれるＩＣチップ１９の現在位置情報は、白杖先端センサー部１０により読み取られ、白杖１を利用する視覚障害者に情報として、上述したようにイヤホン４または所持するスマートフォン５へ伝達すことができる。
またＩＣチップ１９と白杖先端センサー部１０は１０センチ以内まで近接すると、情報が得られるようになっている。【００２４】  視覚障害者誘導ブロック１６、１７に接着する非接触電磁誘導ＩＣチップ１９はセンサーカードと称し、電力も不要で視覚障害者誘導ブロック１６，１７の表層に幅２センチメートル長さ２０センチメートル厚さは２ミリメートルで素材はポリ塩化ビニルとなりキャッシュカード等と同等素材である。【００２５】  視覚障害者誘導ブロック１６，１７に設置する電磁誘導センサーカード１８，１９部分は、すでに防水ではあるが破損防止の為、黄色に着色したラバー素材で覆い現行の視覚障害者ブロック１６，１７へ変成シリコンコーク等の接着剤で固定する。その場合センサーカード１８，１９はラバー素材も含め５ミリメートル程となる。電磁誘導センサーカード１８，１９はＣＰよりカードリーダーにてＩＣチップに位置情報などの書き込みが容易にできる特性があり、センサーカードの破損や劣化に対しても即座に差し替え対応ができる。電磁誘導センサー１９は自動改札などと同様の原理で白杖先端部が約１メートル毎に設置された電磁誘導センサー１９に近づく毎に位置情報が発信される。【００２６】  つまり本考案はグリップ部と内部にＧＰＳセンサー及びＯＳ基板を装備したＯＳ部と端部に白杖パイプを挿入固定する為の開口部を設け更に複数のＬＥＤ発光体を装備した発光部を備えたグリップ部本体と、前記白杖パイプの接地部近傍に電磁誘導センサーを装備してなる視覚障害者用白杖と、非接触ＩＣチップを表層に装備した視覚障害者誘導ブロックからなる視覚障害者用誘導システムであって、グリップ部本体の発光部には視覚障害者の情報を周囲に伝達するための複数個のＬＥＤ発光体を装備し、グリップ部本体のＯＳ部にはハザードマップ、ネットラジオ、利用者の位置情報、気象情報などを管理するためのＣＰが内装され、視覚障害者に対し外部から提供されたいろいろな情報を受け取ることができるようにしたものである。【００２７】  また、視覚障害者誘導ブロックには非接触ＩＣチップを耐水性及び耐衝撃性、耐熱性、耐候性のある素材で被覆し表層に埋め込み、常時視覚障害者が近傍に接近して来た時に情報の享受支援をできるようにし、さらに非接触ＩＣチップ電磁誘導センサーが未設置の場所でもＧＰＳより位置情報を取得できるようにしたものである。そして、寒冷地の積雪地方においても視覚障害者誘導ブロック上部に積もった雪が１０センチ以内であれば白杖先端センサー部と視覚障害者誘導ブロック内のＩＣチップとの間で情報収集が可能としたものである。
【符号の説明】
【００２８】１  白杖本体
２  ＧＰＳ衛星
３  視覚障害者誘導ブロック
４  有線型イヤホン、又はＢｌｕｅｔｏｏｔｈ（登録商標）ワイヤレスイヤホン
５  スマートフォン（携帯電話）
６  情報管理部
７  タブレット端末内蔵部
８  ＬＥＤランプ発光部
９  白杖部
１０白杖先端センサー部
１１差込口コネクター
１２白杖グリップ
１３ＬＥＤランプ、文字発光イメージ図
１４ＬＥＤランプ、発光イメージ図
１５視覚障害者誘導ブロック
１６視覚障害者誘導ブロック注意指示  非接触電磁誘導ＩＣチップ
１７障害者誘導ブロック進め指示  非接触電磁誘導ＩＣチップ
１８非接触電磁誘導ＩＣチップ連結銅線
１９非接触電磁誘導ＩＣチップ
【図１】
0003226700.tif 000003
【図２】
0003226700.tif 000004
【図３】
0003226700.tif 000005
【図４】
0003226700.tif 000006
【図５】
0003226700.tif 000007
【図６】
0003226700.tif 000008